(57)【要約】【課題】切替スイッチおよびフィルタを別途に設ける必要がなく、家庭用ルータからの各種類の信号に必要なフィルタをモジュール化することが可能であること。【解決手段】回路板には、ローパス平滑回路と、ハイパス平滑回路と、別のローパス平滑回路とから構成される帯域平滑回路が設けてあり、前記ローパス平滑回路が前記ハイパス平滑回路と電気的に連接しており、且つ前記回路板には入力端が設けてあり、且つ前記二つのローパス平滑回路に応じて出力端がそれぞれ設けてあり、また、前記入力端は前記ローパス平滑回路と前記ハイパス平滑回路との連接箇所の近傍で切替スイッチが設けてあり、そして前記ハイパス平滑回路と前記別のローパス平滑回路との間には別の切替スイッチが設けてある。【選択図】図１
0003136983.tif 000002
【実用新案登録請求の範囲】
【請求項１】
回路板を具備するモジュール化したフィルタであって、
回路板には、ローパス平滑回路と、ハイパス平滑回路と、別のローパス平滑回路とから構成される帯域平滑回路が設けてあり、
前記ローパス平滑回路が前記ハイパス平滑回路と電気的に連接しており、
且つ前記回路板には入力端が設けてあり、
且つ前記二つのローパス平滑回路に応じて出力端がそれぞれ設けてあり、
前記入力端は前記ローパス平滑回路と前記ハイパス平滑回路との連接箇所の近傍で切替スイッチが設けてあり、
前記ハイパス平滑回路と前記別のローパス平滑回路との間には別の切替スイッチが設けてあることを特徴とする、
モジュール化したフィルタ。
【考案の詳細な説明】
【技術分野】
【０００１】
本考案は、家庭用ルータからの各種類の信号に必要なフィルタをモジュール化可能であり、且つ異なるフィルタに応じて切替スイッチが設けてあり、これにより、同軸ケーブル用ルータをテレビまたは各種類のマルチメディア機器と連接する場合には、切替スイッチを切替えるだけで済み、切替スイッチおよびフィルタを別に連接する必要がないモジュール化したフィルタに関するものである。
【背景技術】
【０００２】
現在、科学技術の進展に伴い、デジタル製品がパソコンおよびマルチメディア機器と結合することは将来の家庭用マルチメディアルータの発展の成り行きであり、現在の家庭ネットワーク連接技術の発展の成り行きにおいて、無線ラン（Wireless Local Area Network,WLAN）技術の他に、超高周波（ＵＷＢ）、電力ケーブルネットワーク（HomePlug）、同軸ケーブルマルチメディア連盟（Multimedia over Coax Alliance,MoCA）などのネットワーク技術がある。
また、同軸ケーブルマルチメディア連盟は、２００４年１月に、ケーブルテレビ業者と衛星テレビ業者とネットワーク機器メーカとから組成された技術連盟であって、主に、テレビ及びデジタルマルチメディア機器に家庭用同軸ケーブルを連結することを推進することにより、同軸ケーブルマルチメディア連盟（MoCA）のネットワーク技術に通じて、電話、ネットワーク、ケーブルテレビ（CATV）（Satellite Master Antenna Television System,SMATV）と無線ラン（WLAN）などを一本の同軸ケーブルで利用可能にした。これにより、国民の生活が更に便利になる。
【考案の開示】
【考案が解決しようとする課題】
【０００３】
しかしながら、同軸ケーブルマルチメディア連盟（MoCA）のネットワーク技術に通じて、電話、ネットワーク、ケーブルテレビ（CATV）（Satellite Master Antenna Television System,SMATV）と無線ラン（WLAN）などを一本の同軸ケーブルで利用可能になるが、同軸ケーブルにて各種類の信号を伝送してマルチメディアルータに入力した後、異なる平滑効果を持つフィルタにて信号を平滑させて必要な周波数を得ると共に、同軸ケーブルマルチメディア連盟（MoCA）の規定された仕事周波数975MHz〜1525MHzを切り取ることが必要である。
そのため、マルチメディアルータがテレビ、又は各種類のデジタルマルチメディア機器に連接しようとする場合には、異なるフィルタを使用することが必要である。
そのため、マルチメディアルータの使用が極めて不便であった。
【課題を解決するための手段】
【０００４】
上記した欠点を解決するためになされた本願考案は、主に、回路板には、ローパス平滑回路と、ハイパス平滑回路と、別のローパス平滑回路とから構成される帯域平滑回路が設けてあり、前記ローパス平滑回路が前記ハイパス平滑回路と電気的に連接しており、且つ前記回路板には入力端が設けてあり、且つ前記二つのローパス平滑回路に応じて出力端がそれぞれ設けてあり、また、前記入力端は前記ローパス平滑回路と前記ハイパス平滑回路との連接箇所の近傍で切替スイッチが設けてあり、前記ハイパス平滑回路と前記別のローパス平滑回路との間には別の切替スイッチが設けてあることを特徴とするモジュール化したフィルタであることを要旨としている。
【考案の効果】
【０００５】
本考案のモジュール化したフィルタによれば、家庭用ルータからの各種類の信号に必要なフィルタをモジュール化可能であり、且つ異なるフィルタに応じて切替スイッチが設けてあり、これにより、同軸ケーブル用ルータは、テレビまたは各種類のマルチメディア機器と連接する場合には、切替スイッチを切替えるだけで済み、切替スイッチおよびフィルタを別に連接することが必要ないといった効果を有する。
【考案を実施するための最良の形態】
【０００６】
以下、添付図面を参照して本考案の好適な実施の形態を詳細に説明する。
【０００７】
まず、図１を参照する。本考案のモジュール化したフィルタは、主に、回路板１を有する。回路板１はローパス平滑回路１１と、ハイパス平滑回路１２１と、別のローパス平滑回路１２２とから構成される帯域平滑回路１２が設けてある。
前記ローパス平滑回路１１が前記ハイパス平滑回路１２１と電気的に連接しており、且つ前記回路板１には入力端１３が設けてありる。
前記二つのローパス平滑回路１１，１２２に応じて出力端１４，１５がそれぞれ設けてある。
また、前記入力端１３は前記ローパス平滑回路１１と前記ハイパス平滑回路１２１との連接箇所の近傍には切替スイッチ１６が設けてある。
そして前記ハイパス平滑回路１２１と前記別のローパス平滑回路１２２との間には別の切替スイッチ１７が設けてある。
そうすると、全体をモジュール化することができる。
【０００８】
入力端１３がマルチメディアルータと連接し、出力端１４がテレビと連接してケーブルテレビ（CATV）の信号を出力する。
且つ出力端１５がマルチメディアルータと接続した別の電子製品と連接するように、マルチメディアルータに本考案のモジュール化されたフィルタ回路板１を設けると、出力された信号は同軸ケーブルマルチメディア連盟（MoCA）の規定に合うようになる。
切替スイッチ１６，１７を切替えることにより、例えばケーブルテレビ（CATV）の信号の場合には、入力端１３が前記ローパス平滑回路１１と前記ハイパス平滑回路１２１とに同時に連接する。
且つ前記ハイパス平滑回路１２１を前記ローパス平滑回路１２２と連接する場合には、入力端１３からの信号が前記ローパス平滑回路１１を通過し高周波成分が除去されて、低周波信号が出力端１４から出力するようになる。
また、例えば同軸ケーブルマルチメディア連盟（MoCA）の規定の仕事周波数９７５MHz〜１５２５MHzを切り取るの場合には、入力端１３からの信号が前記ハイパス平滑回路１２１と前記ローパス平滑回路１２２とから構成された帯域平滑回路１２を通過して高低周波成分が除去されて、帯域信号が出力端１４から出力するようになる。
また、例えば同軸ケーブルマルチメディア連盟（MoCA）の限定の低周波数の場合には、図２に示すように、切替スイッチ１６，１７を切替えることにより、出力端が前記ローパス平滑回路１２２と直接に連接して、入力端１３からの信号が前記ローパス平滑回路１２２を通過して高周波成分が除去されて、低周波信号が出力端１５から出力するようになる。
このような構成によれば、同軸ケーブル用ルータは、テレビまたは各種類のマルチメディア機器と連接する場合には、切替スイッチを切替えるだけで済み、切替スイッチおよびフィルタを別に連接することが必要ない効果を有する。
【０００９】
このように特定の例を参照して本考案を説明したが、これらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１０】
【図１】本考案の構成を示す概略図である。
【図２】本考案の使用状態の概略図である。
【符号の説明】
【００１１】
１        回路板
１１      ローパス平滑回路
１２      帯域平滑回路
１２１    ハイパス平滑回路
１２２    ローパス平滑回路
１３      入力端
１４      出力端
１５      出力端
１６      切替スイッチ
１７      切替スイッチ
【図１】
0003136983.tif 000003
【図２】
0003136983.tif 000004